(57)【要約】【課題】プロテクション機能の実行によるネットワークの複数分断を防ぐことのできるデータ伝送システムを提供する。【解決手段】帯域監視部は、自装置と自装置の両側に隣接する第１および第２の伝送装置との間の第１および第２の伝送路の帯域幅をそれぞれ監視する。プロテクション実行部は、帯域監視部にて取得した第１または第２の伝送路の帯域幅が閾値未満になると、自装置および他の伝送装置によるプロテクションの実行の有無を確認し、自装置および他の伝送装置のいずれもプロテクションを実行していない場合にのみ、帯域幅が閾値未満とされた第１または第２の伝送路に対するプロテクションを実行する。【選択図】図１
2009231906.tif 000002
【特許請求の範囲】
【請求項１】
複数の伝送装置がリング状に接続されたデータ伝送システムであって、
前記複数の伝送装置のそれぞれは、
自装置と自装置の両側に隣接する第１および第２の伝送装置との間の第１および第２の伝送路の帯域幅をそれぞれ監視する帯域監視部と、
前記第１および第２の伝送路のそれぞれに対して迂回経路を設定するためのプロテクションを実行するプロテクション実行部と、を有し、
前記プロテクション実行部は、前記帯域監視部にて取得した前記第１または第２の伝送路の帯域幅が閾値未満になると、自装置および他の伝送装置による前記プロテクションの実行の有無を確認し、自装置および他の伝送装置のいずれも前記プロテクションを実行していない場合にのみ、帯域幅が閾値未満とされた前記第１または第２の伝送路に対する前記プロテクションを実行する、データ伝送システム。
【請求項２】
前記閾値は、前記複数の伝送装置がリング状に接続された伝送路全体における帯域幅より小さく、該帯域幅を前記複数の伝送装置の数で割った値より大きい値とする、請求項１に記載のデータ伝送システム。
【請求項３】
前記複数の伝送装置のそれぞれは、前記第１および第２の伝送路のそれぞれのトラフィック量を一定時間間隔で測定するトラフィック量監視部をさらに有し、
前記プロテクション実行部は、前記第１および第２の伝送路のそれぞれについて、伝送路ごとに、前記帯域監視部にて取得した当該伝送路の帯域幅と、前記トラフィック量監視部にて取得した、該帯域幅の取得時点における当該伝送路の最新のトラフィック量により決まる前記閾値とを比較する、請求項１に記載のデータ伝送システム。
【請求項４】
前記プロテクション実行部は、自装置における前記プロテクションを実行した後に、該実行中のプロテクションの対象とされた伝送路の帯域幅が前記閾値以上になると、該実行中のプロテクションを解除する、請求項１から３のいずれか１項に記載のデータ伝送システム。
【請求項５】
前記プロテクション実行部は、前記プロテクションの実行の有無の確認において、自装置および他の伝送装置のいずれかが前記プロテクションを実行していると判断すると、該実行中のプロテクションが解除されるまで、帯域幅が閾値未満とされた前記第１または第２の伝送路に対する前記プロテクションの実行の待ちの状態を維持する、請求項１から４のいずれか１項に記載のデータ伝送システム。
【請求項６】
複数の他の伝送装置とともにリング状の伝送路を構成するに伝送装置であって、
自装置と自装置の両側に隣接する第１および第２の伝送装置との間の第１および第２の伝送路の帯域幅をそれぞれ監視する帯域監視部と、
前記第１および第２の伝送路のそれぞれに対して迂回経路を設定するためのプロテクションを実行するプロテクション実行部と、を有し、
前記プロテクション実行部は、前記帯域監視部にて取得した前記第１または第２の伝送路の帯域幅が閾値未満になると、自装置および前記複数の他の伝送装置による前記プロテクションの実行の有無を確認し、自装置および前記複数の他の伝送装置のいずれも前記プロテクションを実行していない場合にのみ、帯域幅が閾値未満とされた前記第１または第２の伝送路に対する前記プロテクションを実行する、伝送装置。
【請求項７】
前記閾値は、前記リング状の伝送路全体における帯域幅より小さく、該帯域幅を前記複数の伝送装置の数で割った値より大きい値とする、請求項６に記載の伝送装置。
【請求項８】
前記第１および第２の伝送路のそれぞれのトラフィック量を一定時間間隔で測定するトラフィック量監視部をさらに有し、
前記プロテクション実行部は、前記第１および第２の伝送路のそれぞれについて、伝送路ごとに、前記帯域監視部にて取得した当該伝送路の帯域幅と、前記トラフィック量監視部にて取得した、該帯域幅の取得時点における当該伝送路の最新のトラフィック量により決まる前記閾値とを比較する、請求項６に記載の伝送装置。
【請求項９】
前記プロテクション実行部は、自装置における前記プロテクションを実行した後に、該実行中のプロテクションの対象とされた伝送路の帯域幅が前記閾値以上になると、該実行中のプロテクションを解除する、請求項６から８のいずれか１項に記載の伝送装置。
【請求項１０】
前記プロテクション実行部は、前記プロテクションの実行の有無の確認において、自装置および他の伝送装置のいずれかが前記プロテクションを実行していると判断すると、該実行中のプロテクションが解除されるまで、帯域幅が閾値未満とされた前記第１または第２の伝送路に対する前記プロテクションの実行の待ちの状態を維持する、請求項６から９のいずれか１項に記載の伝送装置。
【請求項１１】
複数の他の伝送装置とともにリング状の伝送路を構成するに伝送装置にて行われるプロテクション制御方法であって、
自装置と自装置の両側に隣接する第１および第２の伝送装置との間の第１および第２の伝送路の帯域幅をそれぞれ監視する帯域幅監視ステップと、
前記第１および第２の伝送路のそれぞれに対して迂回経路を設定するためのプロテクションを実行するプロテクション実行ステップと、を含み、
前記プロテクション実行ステップは、前記第１および第２の伝送路のそれぞれについて、伝送路ごとに、取得した当該伝送路の帯域幅が閾値未満になると、自装置および前記複数の他の伝送装置による前記プロテクションの実行の有無を確認し、自装置および前記複数の他の伝送装置のいずれも前記プロテクションを実行していない場合にのみ、当該伝送路に対する前記プロテクションを実行するステップを含む、プロテクション制御方法。
【請求項１２】
自装置における前記プロテクションを実行した後に、該実行中のプロテクションの対象とされた伝送路の帯域幅が前記閾値以上になると、該実行中のプロテクションを解除するステップをさらに含む、請求項１１に記載のプロテクション制御方法。
【発明の詳細な説明】
【技術分野】
【０００１】
本発明は、複数の伝送装置がＳＤＨ（Synchronous Digital Hierarchy）／ＳＯＮＥＴ（Synchronous Optical NETwork）の伝送路にリング状に接続されたデータ伝送システムに関する。
【背景技術】
【０００２】
ＳＤＨ／ＳＯＮＥＴにより構成されたネットワークの可用性を高める技術としてＲＰＲ（Resilient Packet Ring）が注目されている。ＲＰＲは、ＩＥＥＥ（Institute of Electrical and Electronic Engineers）で勧告された８０２．１７にて規定されており、２．４Ｇｂｐｓや１０Ｇｂｐｓなどの高い帯域幅でパケットの伝送が可能である。
【０００３】
図６は、特許文献１に記載されたデータ伝送システムの構成を示すブロック図である。図６に示されたデータ伝送システムは、ＲＰＲ装置９０〜９４、レイヤ３スイッチ（以下、「Ｌ３ＳＷ」という）９６、および端末９７を有する。
【０００４】
ＲＰＲ装置９０〜９４が無線伝送路９５を介してリング状に接続される。また、ＲＰＲ装置９０〜９４のそれぞれは、Ｌ３ＳＷ９６を介して複数の端末９７に接続される。
【０００５】
無線伝送路９５は、全二重の伝送路であって、各伝送路は、１系列（１チャネル）の帯域幅が６Ｍｂｐｓとされる全８系列（８チャネル）で構成される。
【０００６】
端末９７は、ＭＡＣ（Media Access Control）アドレスやＩＰ（Internet Protocol）アドレスを有する端末である。例えば、端末９７は、パーソナルコンピュータやＩＰ電話などである。
【０００７】
ＲＰＲ装置９１は、ＲＰＲ装置９０からの各系列（１チャネルから８チャネル）で受信したフレームをＲＰＲ装置９２に転送する。また、ＲＰＲ装置９１は、ＲＰＲ装置９０からの各系列（１チャネルから８チャネル）におけるフレームの受信状況に基づいて障害を検出する。
【０００８】
発生した障害の系列数が全系列数（８チャネル）の半数（４チャネル）以下である場合、ＲＰＲ装置９１は、フレームの送信元であるＲＰＲ装置９０に障害の発生したチャネルの情報を通知する。ＲＰＲ装置９０は、ＲＰＲ装置９１からチャネルの情報を受信すると、正常なチャネルの無線伝送路９５の帯域幅を狭めてフレームの伝送を継続する。
【０００９】
発生した障害の系列数が全系列数の半数を超える数（５チャネル）である場合は、ＲＰＲ装置９１は、通信の不許可を示す不許可情報をＲＰＲ装置９０に通知する。ＲＰＲ装置９０は、ＲＰＲ装置９１から不許可情報を受信すると、ＲＰＲ装置９１と逆方向のＲＰＲ装置９４へフレームを送信する。この処理は、ＲＰＲで規定されているプロテクションの機能の１つであるラッピング処理である。
【特許文献１】特開２００６−８０８８８号公報
【発明の開示】
【発明が解決しようとする課題】
【００１０】
上述したデータ伝送システムにおいて、複数の区間で障害が発生する場合がある。例えば、ＲＰＲ装置９０とＲＰＲ装置９１の区間とＲＰＲ装置９３とＲＰＲ装置９４の区間に障害が発生する場合がある。このような場合、各区間において、発生した障害の系列数が全系列数の半数を超えてしまうと、各区間で、プロテクションの処理（ラッピング処理）が行われて、ネットワークが複数に分断される。この場合、ネットワークの分断のために、ラッピング処理により折り返したフレームを送信できなくなる場合がある。
【００１１】
以下、図７を参照して、その具体的な説明を示す。
【００１２】
図７は、４つのＲＰＲ装置９０〜９３を備えるデータ伝送システムの構成を示す図である。ここでは、ＲＰＲ装置９０とＲＰＲ装置９１との区間ＡおよびＲＰＲ装置９２とＲＰＲ装置９３との区間Ｂにおいて障害が発生した場合で、ＲＰＲ装置９３がＲＰＲ装置９１に向けてフレームを送信した場合の動作の一例を説明する。
【００１３】
通常時、ＲＰＲ装置９３は、ＲＰＲ装置９０を介してＲＰＲ装置９１へフレームを送信する。区間Ａにおいて発生した障害の系列数が全系列数の半数を超えた場合、プロテクションの処理（ラッピング処理）が行われる。その結果、ＲＰＲ装置９０は、ＲＰＲ装置９３からのフレームをＲＰＲ装置９３へ折り返す。そして、ＲＰＲ装置９３は、ＲＰＲ装置９０からのフレームを、ＲＰＲ装置９２を介してＲＰＲ装置９１に送信する。このようなフレームを転送する動作が行われる場合において、区間Ｂにおいて障害が発生し、その障害の系列数が全系列数の半数を超え、プロテクションの処理（ラッピング処理）が行われると、ＲＰＲ装置９３は、ＲＰＲ装置９０からのフレームをＲＰＲ装置９０に再度折り返すことになる。その結果、ＲＰＲ装置９３からＲＰＲ装置９１へのフレームの送信ができなくなる。
【００１４】
本発明の目的は、上記課題を解決することのできる、データ伝送システム、伝送装置、およびデータ伝送制御方法、を提供することにある。
【課題を解決するための手段】
【００１５】
上記目的を達成するために、本発明のデータ伝送システムは、
複数の伝送装置がリング状に接続されたデータ伝送システムであって、
前記複数の伝送装置のそれぞれは、
自装置と自装置の両側に隣接する第１および第２の伝送装置との間の第１および第２の伝送路の帯域幅をそれぞれ監視する帯域監視部と、
前記第１および第２の伝送路のそれぞれに対して迂回経路を設定するためのプロテクションを実行するプロテクション実行部と、を有し、
前記プロテクション実行部は、前記帯域監視部にて取得した前記第１または第２の伝送路の帯域幅が閾値未満になると、自装置および他の伝送装置による前記プロテクションの実行の有無を確認し、自装置および他の伝送装置のいずれも前記プロテクションを実行していない場合にのみ、帯域幅が閾値未満とされた前記第１または第２の伝送路に対する前記プロテクションを実行する。
【００１６】
また、本発明の伝送装置は、
複数の他の伝送装置とともにリング状の伝送路を構成するに伝送装置であって、
自装置と自装置の両側に隣接する第１および第２の伝送装置との間の第１および第２の伝送路の帯域幅をそれぞれ監視する帯域監視部と、
前記第１および第２の伝送路のそれぞれに対して迂回経路を設定するためのプロテクションを実行するプロテクション実行部と、を有し、
前記プロテクション実行部は、前記帯域監視部にて取得した前記第１または第２の伝送路の帯域幅が閾値未満になると、自装置および前記複数の他の伝送装置による前記プロテクションの実行の有無を確認し、自装置および前記複数の他の伝送装置のいずれも前記プロテクションを実行していない場合にのみ、帯域幅が閾値未満とされた前記第１または第２の伝送路に対する前記プロテクションを実行する。
【００１７】
また、本発明のプロテクション制御方法は、
複数の他の伝送装置とともにリング状の伝送路を構成するに伝送装置にて行われるプロテクション制御方法であって、
自装置と自装置の両側に隣接する第１および第２の伝送装置との間の第１および第２の伝送路の帯域幅をそれぞれ監視する帯域幅監視ステップと、
前記第１および第２の伝送路のそれぞれに対して迂回経路を設定するためのプロテクションを実行するプロテクション実行ステップと、を含み、
前記プロテクション実行ステップは、前記第１および第２の伝送路のそれぞれについて、伝送路ごとに、取得した当該伝送路の帯域幅が閾値未満になると、自装置および前記複数の他の伝送装置による前記プロテクションの実行の有無を確認し、自装置および前記複数の他の伝送装置のいずれも前記プロテクションを実行していない場合にのみ、当該伝送路に対する前記プロテクションを実行するステップを含む。
【発明の効果】
【００１８】
本発明によれば、伝送路の帯域幅が減少した場合に、別の伝送路にてプロテクションが実行されている場合は、その帯域幅が減少した伝送路では、プロテクションが実行されないので、ネットワークが複数に分断されることを抑制することができる。これにより、データの伝送が正常に行われる。
【発明を実施するための最良の形態】
【００１９】
本発明を実施するための形態について図面を参照して詳細に説明する。
【００２０】
（第１の実施形態）
図１は、本発明の第１の実施形態におけるデータ伝送システムの構成を示すブロック図である。データ伝送システムは、伝送装置１，２，３，４を有する。
【００２１】
図１に示されるように、伝送装置１，２，３，４は、全二重の伝送路５を介してリング状に接続される。また、伝送装置１，２，３，４は、外部のネットワークを介して複数の通信端末（不図示）に接続される。
【００２２】
伝送装置１，２，３，４のそれぞれは、自装置に隣接する伝送路５の帯域幅を監視する。伝送装置１，２，３，４のそれぞれは、伝送路５の帯域幅が閾値未満になると、自装置および他の伝送装置のいずれかがＲＰＲプロテクションを実行中か否かを調べる。伝送装置１，２，３，４のそれぞれは、ＲＰＲプロテクション実行中である場合は、帯域幅が減少した伝送路５を介した経路でのデータ送信を継続し、ＲＰＲプロテクション実行中でない場合は、自装置におけるＲＰＲプロテクションの実行を開始する。
【００２３】
以下に、伝送装置１の構成を詳細に説明する。
【００２４】
図２は、本発明の第１の実施形態における伝送装置１の構成を示すブロック図である。ここでは、伝送装置１の構成を説明するが、伝送装置２、伝送装置３、および伝送装置４の構成についても伝送装置１の構成と同様である。
【００２５】
伝送装置１は、ＲＰＲ部１１、ＶＣＡＴ（Virtual Concatenation）終端部１２，１３、ＶＣパス終端部１４，１５，１６，１７、ＬＣＡＳ（Link Capacity Adjustment Scheme）制御部１８、ＶＣＡＴ帯域監視部１９、および記憶部２２を有する。
【００２６】
ＲＰＲ部１１は、ＶＣＡＴ終端部１２，１３のそれぞれに接続され、また、記憶部２２に接続される。
【００２７】
ＶＣＡＴ終端部１２は、ＶＣパス終端部１４，１５のそれぞれに接続される。ＶＣパス終端部１４は、伝送装置２のＶＣパス終端部１４に接続される。また、ＶＣパス終端部１５は、伝送装置２のＶＣパス終端部１５に接続される。
【００２８】
ＶＣＡＴ終端部１３は、ＶＣパス終端部１６，１７のそれぞれに接続される。ＶＣパス終端部１６は、伝送装置３のＶＣパス終端部１６に接続される。また、ＶＣパス終端部１７は、伝送装置３のＶＣパス終端部１７に接続される。
【００２９】
記憶部２２には、閾値が記憶されている。閾値は、ＲＰＲプロテクションの実行の判断に用いられる。閾値は、ＶＣＡＴパス終端部の帯域幅に応じて適宜設定される。
【００３０】
また、記憶部２２には、区間情報とフラグとが関連付けて記憶されている。
【００３１】
区間情報は、隣接する伝送装置間の区間を識別するための情報である。区間情報Ａは、伝送装置１と伝送装置２との区間を識別するための情報である。区間情報Ｂは、伝送装置２と伝送装置３との区間を識別するための情報である。区間情報Ｃは、伝送装置３と伝送装置４との区間を識別するための情報である。区間情報Ｄは、伝送装置４と伝送装置１との区間を識別するための情報である。
【００３２】
フラグは、各伝送装置１〜４がＲＰＲプロテクションを実行しているか否かを示すものである。伝送装置１〜４のそれぞれは、自装置内のフラグを参照して、他の伝送装置がＲＰＲプロテクションを実行中であるか否かを判断することができる。各伝送装置１〜４は、互いに、ＲＰＲプロテクションの実行状況を示す情報を送受信することで、自装置内のフラグの更新を行う。具体的には、各伝送装置１〜４は、ＲＰＲプロテクションが設定されたことを示すプロテクション設定信号（ＲＰＲプロテクション実行の対象とされた区間を識別するための区間情報を含む）とＲＰＲプロテクションが解除されたことを示すプロテクション解除信号（ＲＰＲプロテクション実行の対象とされた区間を識別するための区間情報を含む）とを互いに送受信し、これにより、自装置内のフラグを更新する。伝送装置１〜４のいずれかにおいて、ＲＰＲプロテクションが実行された場合は、そのＲＰＲプロテクション実行の対象とされた区間の識別情報に対して、フラグを立てる。ＲＰＲプロテクションが解除された場合は、対象区間の識別情報に立てたフラグを取り除く。
【００３３】
ＶＣパス終端部１４〜１７は、ＶＣパスの終端であり、ＶＣパスを用いて他の伝送装置のＶＣパス終端部とのフレームの送受信を行う。ＶＣパス終端部１４は、伝送装置２のＶＣパス終端部１４からＲＰＲフレームを受信すると、受信したＲＰＲフレームをＶＣＡＴ終端部１２に送信する。ＶＣパス終端部１４は、ＶＣＡＴ終端部１２からＲＰＲフレームを受信すると、受信したＲＰＲフレームを伝送装置２のＶＣパス終端部１４に送信する。
【００３４】
また、ＶＣパス終端部１４〜１７のそれぞれは、自身のＶＣパスに障害が発生しているか否かを判定する。例えば、データ伝送システムでは、監視用のフレームがリング上を巡回しており、この監視用のフレームをＶＣパス終端部１４が予め定められた時間を経過しても受信できない場合は、ＶＣパス終端部１４は、ＶＣパスに障害が発生したと判定する。このＶＣパスの障害は、たとえば、ＶＣパス終端部間を接続する通信線（光ファイバー等）の断線である。
【００３５】
ＶＣパス終端部１４は、ＶＣパスの障害を検出すると、障害の発生を示すＶＣパス障害発生信号をＶＣＡＴ終端部１２に送信する。ＶＣパス障害発生信号は、障害の発生したＶＣパスを識別するためのＶＣパス識別情報を含む。
【００３６】
また、ＶＣパス終端部１４は、ＶＣパスの障害が回復したことを検出すると、障害の回復を示すＶＣパス障害回復信号をＶＣＡＴ終端部１２に送信する。ＶＣパス障害回復信号は、障害の発生したＶＣパスを識別するためのＶＣパス識別情報を含む。
【００３７】
なお、上述の説明では、ＶＣパス終端部１４の構成を説明したが、ＶＣパス終端部１５，１６，１７の構成についても同様である。
【００３８】
ＶＣＡＴ終端部１２，１３は、ＶＣＡＴパスの終端である。ＶＣＡＴ終端部１２は、ＶＣパス終端部１４，１５からＲＰＲフレームを受信すると、受信したＲＰＲフレームをＲＰＲ部１１に送信する。また、ＶＣＡＴ終端部１２は、ＲＰＲ部１１からＲＰＲフレームを受信すると、受信したＲＰＲフレームをＶＣパス終端部１４あるいはＶＣパス終端部１５に送信する。
【００３９】
ＶＣＡＴ終端部１２のＶＣＡＴパスは、ＶＣパス終端部１４のＶＣパスとＶＣパス終端部１５のＶＣパスとの二つのＶＣパスとからなる。この二つのＶＣパスは、「ＶＣＡＴパスのメンバ」と呼ばれる。
【００４０】
ＶＣＡＴ終端部１２は、ＶＣパス終端部１４からＶＣパス障害発生信号を受信すると、受信したＶＣパス障害発生信号をＬＣＡＳ制御部１８に供給するとともに、ＶＣＡＴパスの帯域幅の減少を示す障害発生信号をＶＣＡＴ帯域監視部１９に供給する。障害発生信号は、帯域幅が減少したＶＣＡＴパスを識別するための区間情報（この場合は、区間情報Ａ）を含む。
【００４１】
ＶＣＡＴ終端部１２は、ＶＣパス終端部１４からＶＣパス障害回復信号を受信すると、受信したＶＣパス障害回復信号をＬＣＡＳ制御部１８に送信するとともに、ＶＣＡＴパスの帯域幅の増加を示す障害回復信号をＶＣＡＴ帯域監視部１９に供給する。障害回復信号は、帯域幅が増加したＶＣＡＴパスを識別するための区間情報（この場合は、区間情報Ａ）を含む。
【００４２】
なお、上述の説明では、ＶＣＡＴ終端部１２の構成を示したが、ＶＣＡＴ終端部１３の構成についても同様である。
【００４３】
ＬＣＡＳ制御部１８は、各ＶＣパス終端部１４〜１７におけるＶＣパスのＶＣＡＴパスのメンバへの登録およびＶＣパスのＶＣＡＴパスのメンバからの削除の処理を行う。例えば、ＶＣパス障害発生信号にＶＣパス終端部１４のＶＣパスの識別情報が含まれていると仮定する。ＬＣＡＳ制御部１８は、ＶＣＡＴ終端部１２からＶＣパス障害発生信号を受信すると、受信した障害発生信号に含まれるＶＣパス識別情報に従って、ＶＣＡＴ終端部１２のＶＣＡＴパスのメンバからＶＣパス終端部１４のＶＣパスを削除する。ＶＣパス終端部１４のＶＣパスがＶＣＡＴ終端部１２のＶＣＡＴパスのメンバから削除されることで、ＶＣＡＴ終端部１２の帯域幅が減少する。
【００４４】
ＬＣＡＳ制御部１８は、ＶＣＡＴ終端部１２からＶＣパス終端部１４のＶＣパスの識別情報を含むＶＣパス障害回復信号を受信すると、受信したＶＣパス障害回復信号に従って、ＶＣＡＴ終端部１２のＶＣＡＴパスのメンバにＶＣパス終端部１４のＶＣパスを登録する。ＶＣパス終端部１４のＶＣパスがＶＣＡＴ終端部１２のＶＣＡＴパスのメンバに登録されることで、ＶＣＡＴ終端部１２の帯域幅が増加する。
【００４５】
なお、上述の説明では、ＬＣＡＳ制御部１８がＶＣパス終端部１４のＶＣパスをＶＣＡＴのメンバから削除あるいはＶＣＡＴのメンバに登録する処理を挙げたが、他のＶＣパス終端部１５，１６，１７についても同様の処理が行われる。
【００４６】
ＶＣＡＴ帯域監視部１９は、ＶＣＡＴ終端部１２，１３からの障害発生信号および障害回復信号に基づいて、ＶＣＡＴ終端部１２，１３の帯域幅を監視する。ＶＣＡＴ終端部１２，１３のいずれかの帯域幅が減少または増加した場合は、ＶＣＡＴ帯域監視部１９は、減少または増加した帯域幅を帯域幅情報としてＲＰＲ部１１に送信する。帯域幅情報は、帯域幅が減少または増加した区間を示す区間情報を含む。この区間情報は、障害発生信号または障害回復信号から取得することができる。例えば、ＶＣＡＴ終端部１２の帯域幅が減少した場合、ＶＣＡＴ帯域監視部１９は、減少後の帯域幅と区間情報Ａとを含む帯域幅情報をＲＰＲ部１１に送信する。なお、帯域幅情報は、Ｇ.８０６にて規定されたＰＬＣＲ（Partial Loss of Capacity Receiver）またはＰＬＣＴ（Partial Loss of Capacity Transmit）を用いてもよい。
【００４７】
プロテクション実行部であるＲＰＲ部１１は、外部の通信端末（たとえば、送信元のクライアント端末）から他の通信端末（たとえば、送信先のクライアント端末）に宛てたＭＡＣフレームを受信すると、受信したＭＡＣフレームにＲＰＲのヘッダ情報を付加することにより、ＲＰＲフレームを生成する。そして、ＲＰＲ部１１は、生成したＲＰＲフレームをＶＣＡＴ終端部１２に送信する。
【００４８】
このＭＡＣフレームには、ヘッダ情報、データ、およびＦＣＳ（Frame Check Sequence）が含まれる。ヘッダ情報は、宛先となる通信端末のＭＡＣアドレスや送信元である通信端末のＭＡＣアドレスなどの情報で構成される。ＲＰＲフレームには、ＲＰＲ用のヘッダ情報とＭＡＣフレームとが付加される。ＲＰＲ用のヘッダ情報には、伝送装置のＭＡＣアドレスや、リング識別子などが含まれる。リング識別子は、右回りの伝送路あるいは左回りの伝送路を指定するために用いられる。右回りの伝送路の場合、リング識別子は「０」となる。左回りの伝送路の場合、リング識別子は「１」となる。右回りの伝送路から左回りの伝送路になるかは、自装置と目的の伝送装置との間に設置されている伝送装置の台数によって決まる。この伝送装置の台数の少ない伝送路が指定されることになる。
【００４９】
ＲＰＲ部１１は、ＶＣＡＴ終端部１２からＲＰＲフレームを受信すると、自装置のＭＡＣアドレスと、受信したＲＰＲフレームのヘッダ情報に記述された伝送装置のＭＡＣアドレスと、を比較する。比較した結果、それらが一致すれば、ＲＰＲ部１１は、受信したＲＰＲフレームからＭＡＣフレームを抽出し、抽出したＭＡＣフレームを外部のネットワークに送る。比較した結果、それらが一致しなければ、ＲＰＲ部１１は、ＲＰＲフレームをＶＣＡＴ終端部１２に返送する。
【００５０】
また、ＲＰＲ部１１は、ＲＰＲプロテクションの設定あるいは解除を行う。ＲＰＲ部１１は、ＶＣＡＴ帯域監視部１９から帯域幅情報を受信すると、受信した帯域幅情報に含まれる帯域幅と記憶部２２に記憶された閾値とを比較する。比較した結果、ＲＰＲ部１１は、受信した帯域幅が閾値未満であれば、記憶部２２に記憶されているフラグを参照する。
【００５１】
参照した結果、フラグが立っていなければ、ＲＰＲ部１１は、受信した帯域幅情報に含まれる区間情報に基づいて、該当する区間情報にＲＰＲプロテクションを設定する。そして、ＲＰＲ部１１は、ＲＰＲプロテクションの設定を行った区間情報にフラグを立てるとともに、プロテクション設定信号を他の伝送装置に送信する。プロテクション設定信号を受信した伝送装置は、受信したプロテクション設定信号に含まる区間情報に基づいて、該当する区間情報にフラグを立てる。
【００５２】
参照した結果、フラグが立っていれば、他の区間情報でＲＰＲプロテクションが設定されているので、ＲＰＲ部１１は、ＲＰＲプロテクションの設定の待ち状態となる。他の区間情報でのＲＰＲプロテクションの設定が解除されれば、ＲＰＲ部１１は、待ち状態にしたＲＰＲプロテクションを実行する。
【００５３】
なお、複数の伝送装置でＲＰＲプロテクションの待ち状態が発生した場合、伝送装置が待ち状態になった順序でＲＰＲプロテクションの実行を行うようにしてもよい。例えば、それぞれの伝送装置は、ＲＰＲプロテクションが待ち状態になった時刻をお互いに共有する。伝送装置は、他の区間情報でＲＰＲプロテクションの設定が解除されると、待ち状態になった時刻を参照する。その時刻が最も早い伝送装置が次にＲＰＲプロテクションを設定する。また、減少後の帯域幅と閾値との差が大きい伝送装置から順にＲＰＲプロテクションの実行を行うようにしてもよい。
【００５４】
ＲＰＲ部１１は、ＲＰＲプロテクションを実行後、ＶＣＡＴ帯域監視部１９から受信した帯域幅情報に含まれる帯域幅が閾値以上であれば、設定したＲＰＲプロテクションを解除する。そして、ＲＰＲ部１１は、ＲＰＲプロテクションを実行するときに立てたフラグを取り除くとともに、プロテクション解除信号を他の伝送装置に送信する。プロテクション解除信号を受信した伝送装置は、受信したプロテクション解除信号に含まれる区間情報に基づいて、該当する区間情報に設定されたフラグを取り除く。
【００５５】
なお、上述の説明では、伝送装置１がＲＰＲプロテクションを設定する動作の一例を示したが、伝送装置２，３，４についても同様の動作が行われる。
【００５６】
このような伝送装置１，２，３，４の動作は、ＶＣＡＴ機能、ＬＣＡＳ機能、およびＲＰＲプロテクション機能と呼ばれる各種機能を伝送装置１，２，３，４の内部に備えることにより、実現される。
【００５７】
以下に、これら各種機能を詳細に説明する。
【００５８】
まず、ＶＣＡＴ機能を説明する。ＶＣＡＴ機能は、ＩＴＵ−Ｔ（International Telecommunication Union Telecommunication Standardization Sector）で勧告されたＧ．７０７にて規定されており、ＳＤＨ／ＳＯＮＥＴ内の複数のＶＣパスを仮想的に連結して１本のＶＣパスとして使用する機能である。ＶＣＡＴ機能では、ＯＣ−３（１５６Ｍｂｐｓ）やＶＣ−４（１４９．７６Ｍｂｐｓ）などのＶＣ（Virtual Container）パスを複数本束ねた帯域を提供することができる。
【００５９】
次に、ＬＣＡＳ機能を説明する。ＬＣＡＳ機能は、ＩＴＵ−Ｔで勧告されたＧ．７０４２にて規定されており、ＶＣパスを追加することによって、あるいはＶＣパスを削除することによって、ＶＣＡＴ機能にて提供される帯域を動的に増減させる機能である。
【００６０】
最後に、ＲＰＲプロテクション機能を説明する。ＲＰＲプロテクション機能は、伝送路に障害が発生した場合に、５０ミリ秒以内に障害を迂回する伝送経路を確立する機能である。
【００６１】
このＲＰＲプロテクション機能は、ステアリング機能とラッピング機能とに分類される。ステアリング機能の場合、ＲＰＲフレームを送信する伝送装置自身が障害の発生した伝送路を避けてＲＰＲフレームを送出する方向を予め切り替える。ラッピング機能の場合、障害が発生した伝送路に接続された伝送装置がＲＰＲフレームを送信元の伝送装置に返す。
【００６２】
図３Ａは、ＶＣパス終端部１４のＶＣパスに障害が発生した場合の伝送装置１の動作（ＲＰＲプロテクション実行手順）を説明するためのフローチャートである。
【００６３】
ＶＣＡＴ帯域監視部１９は、ＶＣＡＴ終端部１２からの障害発生信号に基づいてＶＣＡＴ終端部１２の帯域幅を監視する（ステップ１００）。ＶＣＡＴ帯域監視部１９は、ＶＣＡＴ終端部１２からの障害発生信号を受信すると、減少した帯域幅を帯域幅情報としてＲＰＲ部１１に送信する（ステップ１０１）。
【００６４】
ＲＰＲ部１１は、ＶＣＡＴ帯域監視部１９から帯域幅情報を受信すると、帯域幅情報に含まれる帯域幅と記憶部２２に記憶されている閾値とを比較する（ステップ１０２）。帯域幅が閾値以上であれば、処理を終了する。
【００６５】
帯域幅が閾値未満であれば、ＲＰＲ部１１は、記憶部２２に記憶されているフラグを参照する（ステップ１０３）。参照した結果、フラグが立っていれば、ステップ１０３に戻る。
【００６６】
フラグが立っていなければ、ＲＰＲ部１１は、受信した帯域幅情報に含まれる区間情報に基づいて、該当する区間情報にＲＰＲプロテクションを実行する（ステップ１０４）。そして、ＲＰＲ部１１は、ＲＰＲプロテクションを実行した区間情報に対してフラグを立てるとともに、プロテクション設定信号を他の伝送装置に送信する（ステップ１０５）。
【００６７】
図３Ｂは、ＲＰＲプロテクション実行後にＶＣパス終端部１４のＶＣパスの障害が回復した場合の伝送装置１の動作（ＲＰＲプロテクション解除手順）を説明するためのフローチャートである。
【００６８】
ＶＣＡＴ帯域監視部１９は、ＶＣＡＴ終端部１２からの障害回復信号に基づいてＶＣＡＴ終端部１２の帯域幅を監視する（ステップ１５０）。ＶＣＡＴ帯域監視部１９は、ＶＣＡＴ終端部１２からの障害回復信号を受信すると、増加した帯域幅を帯域幅情報としてＲＰＲ部１１に送信する（ステップ１５１）。
【００６９】
ＲＰＲ部１１は、ＶＣＡＴ帯域監視部１９から帯域幅情報を受信すると、受信した帯域幅情報に含まれる帯域幅と帯域閾値とを比較する（ステップ１５２）。帯域幅が帯域閾値未満であれば、処理を終了する。帯域幅が帯域閾値以上であれば、ＲＰＲ部１１は、受信した帯域幅情報に含まれる区間情報に基づき該当する区間情報に設定されたＲＰＲプロテクションを解除する（ステップ１５３）。そして、ＲＰＲ部１１は、ＲＰＲプロテクションの設定を解除した区間情報のフラグを取り除くとともに、プロテクション解除信号を他の伝送装置に送信する（ステップ１５４）。
【００７０】
以上説明したように、本実施形態によれば、ある区間情報の帯域幅が減少した場合、他の区間情報において、ＲＰＲプロテクションが設定されていれば、帯域幅が減少した区間情報については、特許文献１と異なり、ＲＰＲプロテクション（ラッピング処理等）が実行されない。これにより、ネットワークが複数に分断されることを抑制することができる。
【００７１】
例えば、特許文献１に記載されたデータ伝送システムでは、区間情報Ａ、Ｃにて識別される２つの区間おいて障害が発生した場合で、各区間においてともにプロテクションの処理（ラッピング処理）が行われると、伝送装置４から伝送装置２へのフレームの送信ができなくなる。一方、本実施形態では、区間情報Ｃにて識別される区間においてプロテクション処理を行う場合に、区間情報Ａにて識別される区間においてすでにプロテクション処理が実行されている場合は、区間情報Ｃにて識別される区間に対するプロテクション処理は行われない。これにより、ネットワークが複数に分断されることを抑制することができる。その結果、伝送装置４から伝送装置２へのフレームは区間情報Ｃにて識別される区間を介して正常に送信されることとなる。
【００７２】
以上説明した実施形態においては、リング状の伝送路（ネットワーク）が複数に分割されることを抑制するという観点から閾値をＶＣパス終端部の帯域幅に応じて設定している。しかし、ＲＰＲの機能の一つであるフェアネス機能が実行されることを考慮すると、閾値は、フェアネス機能が正常に動作する帯域幅の範囲内で設定することが望ましい。フェアネス機能は、フェアネス・アルゴリズムを用いて伝送装置間で公平にフレームを送信する機能である。この場合、設定可能な帯域幅の範囲は、以下のように決まる。
【００７３】
例えば、伝送路全体の帯域幅が１５００Ｍｂｐｓ（１５０ＭｂｐｓのＶＣパスが１０本）であると仮定する場合、フェアネス機能の実行時に設定される各伝送装置１〜４の帯域幅は、３７５Ｍｂｐｓ（＝１５００Ｍｂｐｓ÷４）である。この場合、閾値として、３７５Ｍｂｐｓ以上（１５０ＭｂｐｓのＶＣパスが３本以上）の帯域幅が設定されていれば、フェアネス機能は正しく動作することになる。また、上記の仮定において、少なくとも１本のＶＣパスに障害が発生したことを検知するためには、閾値として、１３５０Ｍｂｐｓ（＝１５００Ｍｂｐｓ−１５０Ｍｂｐｓ）未満の値を設定する必要がある。このようなことから、閾値として設定可能な帯域幅の範囲は、３７５Ｍｂｐｓ以上、１３５０Ｍｂｐｓ未満となる。
【００７４】
なお、閾値が３７５Ｍｂｐｓに設定されているとする。ＶＣパス終端部１４の帯域幅（例えば、３００Ｍｂｐｓ）がこの閾値より減少しても、ＲＰＲプロテクションの実行が他の伝送装置で行われていれば、自装置ではＲＰＲプロテクションの実行を行うことができない。この場合、上述で説明したフェアネス機能の実行時に必要とされる帯域幅（３７５Ｍｂｐｓ）より低い帯域幅で運用されることになってしまう。そのため、閾値として設定可能な帯域幅の範囲の下限は、フェアネス機能の実行時に設定される帯域幅に対して、少なくとも１つのＶＣパスの帯域幅分の余裕を持たせた値とすることが望ましい。
【００７５】
なお、本実施形態では、データ伝送システムに、４台の伝送装置が用いられる例を示したが、本発明はこれに限定されない。例えば、３台以上の伝送装置であればよい。
【００７６】
（第２の実施形態）
第２の実施形態は、ＲＰＲプロテクションの設定を行う際に、他の伝送装置から受信したトラフィック量とＶＣＡＴパスの帯域幅と比較するという点で第１の実施形態と異なる。
【００７７】
図４は、本発明の第２の実施形態における伝送装置の構成を示すブロック図である。ここでは、伝送装置１の構成を詳細に説明するが、伝送装置２，３，４の構成についても伝送装置１の構成と同様である。
【００７８】
伝送装置１は、ＲＰＲ部１１、ＶＣＡＴ終端部１２，１３、ＶＣパス終端部１４，１５，１６，１７、ＬＣＡＳ制御部１８、ＶＣＡＴ帯域監視部１９、トラフィック流量監視部２０，２１、および記憶部２２を有する。ＲＰＲ部１１およびＶＣＡＴ終端部１２，１３の一部の機能、およびトラフィック流量監視部２０，２１の部分が、第１の実施形態のものと異なる。以下では、第１の実施形態のものと異なる部分の機能および動作を中心に説明する。
【００７９】
トラフィック流量監視部２０は、ＶＣＡＴ終端部１２に接続され、トラフィック流量監視部２１は、ＶＣＡＴ終端部１３に接続される。
【００８０】
ＶＣＡＴ終端部１２は、ＶＣパス終端部１４からＶＣパス障害回復信号を受信すると、受信したＶＣパス障害回復信号をＬＣＡＳ制御部１８に送信する。また、ＶＣＡＴ終端部１２は、全てのＶＣパスの障害の回復を検知すると、全てのＶＣパスの障害が回復した旨を示す障害回復検知信号をＶＣＡＴ帯域監視部１９に供給する。障害回復検知信号は、ＶＣパス障害が回復したＶＣＡＴパスを識別するための区間情報（この場合は、区間情報Ａ）を含む。
【００８１】
ここで、ＶＣＡＴ終端部１２が全てのＶＣパスの障害の回復を検知する動作の一例を説明する。ＶＣＡＴ終端部１２は、障害の発生したＶＣパス終端部の数（以下、「障害発生数」という）を保持する。ＶＣパス終端部１４，１５がともに正常であれば、障害発生数は、「０」である。ＶＣパス終端部１４に障害が発生した場合に、ＶＣＡＴ終端部１２は、ＶＣパス終端部１４からＶＣパス障害発生信号を受信すると、障害発生数を「０」から「１」に更新する。その後、ＶＣＡＴ終端部１２は、ＶＣパス終端部１４からＶＣパス障害回復信号を受信すると、障害発生数を「１」から「０」に更新する。このように、障害発生数を「０」に更新したときに、ＶＣＡＴ終端部１２は、障害回復検知信号をＶＣＡＴ帯域監視部１９に送信する。
【００８２】
なお、上述の説明では、ＶＣＡＴ終端部１２の構成を示したが、ＶＣＡＴ終端部１３の構成についても同様である。
【００８３】
トラフィック流量監視部２０は、ＶＣＡＴ終端部１２、１３を流れるトラフィック量を計測する。具体的には、トラフィック流量監視部２０は、一定時間間隔で、ＶＣＡＴ終端部１２を流れるトラフィック量を計測する。トラフィック流量監視部２０は、計測したトラフィック量をトラフィック量情報としてＲＰＲ部１１に送信する。このトラフィック量情報は、伝送装置１、２間を接続する伝送路の情報（区間情報Ａ）を含む。これと同様に、トラフィック流量監視部２１は、一定時間間隔で、ＶＣＡＴ終端部１３を流れるトラフィック量を計測する。トラフィック流量監視部２１は、計測したトラフィック量をトラフィック量情報としてＲＰＲ部１１に送信する。このトラフィック量情報は、伝送装置１、４間を接続する伝送路の情報（区間情報Ｄ）を含む。
【００８４】
なお、上述の説明では、トラフィック流量監視部２０の構成を示したが、トラフィック流量監視部２１の構成についても同様である。
【００８５】
ＲＰＲ部１１は、トラフィック流量監視部２０，２１からトラフィック量情報を受信すると、受信したトラフィック量情報を記憶部２２に記憶する。なお、記憶部２２には、最新のトラフィック量情報が記憶されるようにしてもよい。
【００８６】
ＲＰＲ部１１は、ＶＣＡＴ帯域監視部１９から帯域幅情報を受信すると、受信した帯域幅情報に含まれる帯域幅と、記憶部２２に格納されている、帯域幅情報を受信した時点の最新のトラフィック量情報とを比較する。
【００８７】
帯域幅がトラフィック量未満であれば、ＲＰＲ部１１は、記憶部２２に記憶されているフラグを参照する。
【００８８】
参照した結果、フラグが立っていなければ、ＲＰＲ部１１は、トラフィック情報に含まれる区間情報に基づいて、該当する区間にＲＰＲプロテクションを設定する。そして、ＲＰＲ部１１は、ＲＰＲプロテクションを設定した区間情報のフラグを立てるとともに、ＲＰＲプロテクションの設定を示すプロテクション設定信号を他の伝送装置に送信する。
【００８９】
参照した結果、フラグが立っていれば、他の区間でＲＰＲプロテクションが設定されているので、ＲＰＲ部１１は、ＲＰＲプロテクションの設定の待ち状態となる。他の区間でのＲＰＲプロテクションの設定が解除されれば、ＲＰＲ部１１は、待ち状態としたＲＰＲプロテクションの実行を開始する。
【００９０】
図５Ａは、ＶＣパス終端部１４のＶＣパスに障害が発生した場合の伝送装置１の動作（ＲＰＲプロテクション実行手順）を説明するためのフローチャートである。
【００９１】
トラフィック流量監視部２０は、ＶＣＡＴ終端部１２を流れるトラフィック量を計測する（ステップ２００）。トラフィック流量監視部２０は、計測したトラフィック量をトラフィック量情報としてＲＰＲ部１１に送信する（ステップ２０１）。
【００９２】
ＲＰＲ部１１は、トラフィック流量監視部２０からトラフィック量情報を受信すると、受信したトラフィック量情報を記憶部２２に記憶する（ステップ２０２）。
【００９３】
ＶＣＡＴ帯域監視部１９は、ＶＣＡＴ終端部１２からの障害発生信号に基づいてＶＣＡＴ終端部１２の帯域幅を監視する（ステップ２０３）。ＶＣＡＴ帯域監視部１９は、ＶＣＡＴ終端部１２からの障害発生信号を受信すると、減少した帯域幅を帯域幅情報としてＲＰＲ部１１に送信する（ステップ２０４）。
【００９４】
ＲＰＲ部１１は、ＶＣＡＴ帯域監視部１９から受信した帯域幅情報に含まれる減少した帯域幅と、記憶部２２に記憶されたトラフィック量情報とを比較する（ステップ２０５）。比較した結果、減少した帯域幅がトラフィック量以上であれば、処理を終了する。これにより、フレームの伝送が継続される。
【００９５】
減少した帯域幅がトラフィック量未満でれば、ＲＰＲ部１１は、記憶部２２に記憶されているフラグを参照する（ステップ２０６）。参照した結果、フラグが立っていれば、ステップ２０６に戻る。
【００９６】
参照した結果、フラグが立っていなければ、ＲＰＲ部１１は、受信したトラフィック情報に含まれる区間情報にＲＰＲプロテクションを実行する（ステップ２０７）。そして、ＲＰＲ部１１は、ＲＰＲプロテクションを実行した区間情報に対してフラグを立てるとともに、プロテクション設定信号を他の伝送装置に送信する（ステップ２０８）。
【００９７】
図５Ｂは、ＲＰＲプロテクション実行後にＶＣパス終端部１４のＶＣパスの障害が回復した場合の伝送装置１の動作（ＲＰＲプロテクション解除手順）を説明するためのフローチャートである。
【００９８】
ＶＣＡＴ帯域監視部１９は、ＶＣＡＴ終端部１２からの障害回復検知信号に基づいてＶＣＡＴ終端部１２の帯域幅を監視する（ステップ２５０）。ＶＣＡＴ帯域監視部１９は、ＶＣＡＴ終端部１２からの障害回復検知信号を受信すると、増加した帯域幅を帯域幅情報としてＲＰＲ部１１に送信する（ステップ２５１）。
【００９９】
ＲＰＲ部１１は、ＶＣＡＴ帯域監視部１９から帯域幅情報を受信すると、受信した帯域幅情報に基づいて設定したＲＰＲプロテクションを解除する（ステップ２５２）。そして、ＲＰＲ部１１は、ＲＰＲプロテクションの設定を解除した区間情報に対するフラグを取り除くとともに、プロテクション解除信号を他の伝送装置に送信する（ステップ２５３）。
【０１００】
以上、本実施形態によれば、ＲＰＲ部１１は、ＶＣパスの障害により減少した帯域幅が実際に流れているトラフィック量以上であれば、伝送路上に輻輳が発生しないので、ＲＰＲプロテクションの設定を行なわずに、帯域幅が減少した伝送路を用いてフレームの伝送を継続する。
【０１０１】
第１の実施形態では、ＲＰＲプロテクションを実行するか否かの判定に用いる閾値は固定値である。閾値が固定値である場合、実際に流れているトラフィック量がこの閾値に対して極めて少ない場合でもＲＰＲプロテクションが実行される。例えば、図１に示した構成において、区間情報Ａにより示される区間（以下、「区間ａ」という）のトラフィック量が１０Ｍｂｐｓであり、その区間ａの帯域幅が６００Ｍｂｐｓであり、閾値が３００Ｍｂｐｓであると仮定する。区間ａのＶＣパスの障害の発生により、区間ａの帯域幅が６００Ｍｂｐｓから２００Ｍｂｐｓに減少した場合、減少後の帯域幅（２００Ｍｂｐｓ）が閾値（３００Ｍｂｐｓ）未満になる。この場合、他の区間においてＲＰＲプロテクションが実行されていなければ、区間ａのトラフィック量に関係なく、区間ａに対してＲＰＲプロテクションが実行される。区間ａのトラフィック量が１０Ｍｂｐｓである場合、区間ａを介してデータ伝送が可能であるため、区間ａに対するＲＰＲプロテクションは不要である。
【０１０２】
一方、第２の実施形態においては、閾値は、トラフィック量に応じて動的に変更される。したがって、実際に流れているトラフィック量が少ない場合に、帯域幅が減少しても、ＲＰＲプロテクションが実行されないことがある。例えば、上記の第１の実施形態の動作例で示した条件である場合、閾値は１０Ｍｂｐｓとなるため、区間ａの帯域幅が６００Ｍｂｐｓから２００Ｍｂｐｓに減少しても、区間ａに対するＲＰＲプロテクションは実行されない。したがって、区間ａを介してデータ伝送を行うことができる。
【０１０３】
なお、閾値をトラフィック量に応じて動的に変更する場合も、フェアネス機能が実行されることを考慮し、閾値の動的な変更は、フェアネス機能が正常に動作する帯域幅の範囲内で行うことが望ましい。フェアネス機能が正常に動作する帯域幅の範囲は、第１の実施形態で説明したとおりである。
【図面の簡単な説明】
【０１０４】
【図１】第１の実施形態におけるデータ伝送システムの構成を示すブロック図である。
【図２】第１の実施形態における伝送装置の構成を示すブロック図である。
【図３Ａ】ＶＣパス終端部１４のＶＣパスに障害が発生した場合の伝送装置１の動作を説明するためのフローチャートである。
【図３Ｂ】ＶＣパス終端部１４のＶＣパスの障害が回復した場合の伝送装置１の動作を説明するためのフローチャートである。
【図４】第２の実施形態における伝送装置の構成を示すブロック図である。
【図５Ａ】ＶＣパス終端部１４のＶＣパスに障害が発生した場合の伝送装置１の動作を説明するためのフローチャートである。
【図５Ｂ】ＶＣパス終端部１４のＶＣパスの障害が回復した場合の伝送装置１の動作を説明するためのフローチャートである。
【図６】特許文献１に記載されたデータ伝送システムの構成を示すブロック図である。
【図７】特許文献１の問題点を説明するためのデータ伝送システムの構成を示すブロック図である。
【符号の説明】
【０１０５】
１，２，３，４    伝送装置
５    伝送路
１１  ＲＰＲ部
１２，１３  ＶＣＡＴ終端部
１４，１５，１６，１７  ＶＣパス終端部
１８  ＬＣＡＳ制御部
１９  ＶＣＡＴ帯域監視部
２０，２１  トラフィック流量監視部
２２  記憶部
１００〜１０５，１５０〜１５４，２００〜２０８，２５０〜２５３  ステップ
【図１】
2009231906.tif 000003
【図２】
2009231906.tif 000004
【図３Ａ】
2009231906.tif 000005
【図３Ｂ】
2009231906.tif 000006
【図４】
2009231906.tif 000007
【図５Ａ】
2009231906.tif 000008
【図５Ｂ】
2009231906.tif 000009
【図６】
2009231906.tif 000010
【図７】
2009231906.tif 000011